(57)【要約】  かつらベース（１１）が第１のベース（１２）と第２のベース（１３）で成り、第１のベース（１２）はフロント部（１２ａ）、サイド部（１２ｂ，１２ｃ）、バック部（１２ｄ）及びトップ部（１２ｅ）を備えてかつら装着者の頭部形状に類似する凸湾曲形状に成形されてなり、第２のベース（１３）を第１のベース（１２）の裏側で第１のベースの外縁に沿ってバック部（１２ｄ）から左右のサイド部（１２ｂ,１２ｃ）に帯状に延設し、第２のベース部（１３）のバック部（１３ａ）を第１のベース（１２）のバック縁部（１２Ｄ）の裏面に固定する一方、第１のベース（１２）の左右のサイド縁部（１２Ｂ，１２Ｃ）と第２のベース（１３）の左右のサイド部（１３Ｂ，１３Ｃ）とを止着具（１６ａ，１６ｂ）により脱着し得るように構成し、第１のベース（１２）のフロント部１２ａからかつらの前方側を捲ることで、かつらを装着したままで頭部を洗浄することができる。
2008062737.tif 000002
【特許請求の範囲】
【請求項１】
かつらベースに毛髪を取り付けてなるかつらにおいて、
上記かつらベースが第１のベースと第２のベースとを含み、
上記第１のベースが、フロント部、左サイド部、右サイド部、バック部及びトップ部を備えていてかつら装着領域を覆うようかつら装着者の頭部形状に類似する凸湾曲形状に成形されてなり、
上記第２のベースが上記第１のベースの裏面でその外縁に沿って上記バック部から左右のサイド部方向に縁状に延設されてなり、
上記第２のベース部の一部が上記第１のベースのバック縁部裏面に固定されてなることを特徴とする、かつら。
【請求項２】
かつらベースに毛髪を取り付けてなるかつらにおいて、
上記かつらベースが第１のベースと第２のベースとを含み、
上記第１のベースが、フロント部、左サイド部、右サイド部、バック部及びトップ部を備えていてかつら装着領域を覆うようかつら装着者の頭部形状に類似する凸湾曲形状に成形されてなり、
上記第２のベースが上記第１のベースの裏面でその外縁に沿って上記バック部から左右のサイド部方向に縁状に延設されてなり、
上記第２のベース部のバック部が上記第１のベースのバック縁部の裏面に固定される一方、
上記第１のベースの左右のサイド縁部と上記第２のベースの左右のサイド部とは止着具により脱着し得ることを特徴とする、かつら。
【請求項３】
前記第１のベースにおける左サイド部、右サイド部及びバック部の外周縁が、かつら装着者におけるかつら装着領域の外周縁よりトップ部側に所定長引っ込んで位置することを特徴とする、請求項１又は２に記載のかつら。
【請求項４】
前記第２のベースは帯状に形成されることを特徴とする、請求項１又は２に記載のかつら。
【請求項５】
前記止着具は、前記第１のベースにおける左右のサイド縁部が前記第２のベースにおける左右のサイド部に対して脱着可能なように、前記第１のベースの裏面及び前記第２のベースの表面に、それぞれ対向して固定されていることを特徴とする、請求項２に記載のかつら。
【請求項６】
前記第２のベースにおける左右のサイド部の外縁が前記第１のベースにおける左右のサイド部裏側から所定長張り出してなる編み込み部を有し、かつら装着者の頭髪を該編み込み部に係止することで前記第２のベースがかつら装着者の頭部に固定されることを特徴とする、請求項１又は２に記載のかつら。
【請求項７】
前記第２のベースは、前記第１のベースにおけるバック縁部から左右のサイド縁部前縁近傍まで延設されて線状に形成されてなることを特徴とする、請求項１又は２に記載のかつら。
【請求項８】
前記第２のベースにおける左右のサイド部はその内縁から内側に張り出した台座部を備え、
該台座部が前記第１のベースにおける左右のサイド縁部に対して脱着可能なように、それぞれ前記止着具が固定されていることを特徴とする、請求項７に記載のかつら。
【請求項９】
フロント部、左サイド部、右サイド部、バック部及びトップ部を備え、かつら装着領域を覆うようかつら装着者の頭部形状に類似する凸湾曲形状の第１のベースを形成するステップと、
上記第１のベースの裏側でその外縁に沿って上記バック部から左右のサイド部方向に延設される縁状の第２のベースを形成するステップと、
上記第１のベースの裏側でバック縁部及び左右のサイド縁部に第２のベースを対向するように配置して該第１のベースのバック縁部と上記第２のベースとを固定するステップと、を含む、かつら製造方法。
【請求項１０】
フロント部、左サイド部、右サイド部、バック部及びトップ部を備え、かつら装着領域を覆うようかつら装着者の頭部形状に類似する凸湾曲形状の第１のベースを形成するステップと、
上記第１のベースの裏側でその外縁に沿って上記バック部から左右のサイド部方向に延設される縁状の第２のベースを形成するステップと、
上記第１のベースにおける左右のサイド縁部が該左右のサイド縁部裏面に対向する第２のベースにおける左右のサイド部に対して脱着可能なように、それぞれ止着具を設けるステップと、
上記第１のベースの裏側でバック縁部及び左右のサイド縁部に第２のベースを対向するように配置して該第１のベースのバック縁部と上記第２のベースとを固定するステップと、を含む、かつら製造方法。
【発明の詳細な説明】
【技術分野】
【０００１】
本発明は、かつらを装着した状態でもかつらベースの一部を装着者の頭部から脱着可能にするかつら及びその製造方法に係り、特に、かつらベースのフロント部側を頭部から脱着可能なかつら及びその製造方法に関する。
【背景技術】
【０００２】
かつらはネット素材や人工皮膚でなるかつらベースに毛髪を植設して構成され、かつら装着者の頭部に装着されることで全体の毛量が増加して、かつら装着者は自毛が薄くなっても自由なヘアスタイルを形成することができる。【０００３】
かつらには全頭かつらと部分かつらとがあり、全頭かつらは装着者の前頭部、両側頭部及び後頭部の所定のヘアラインに沿った周縁を有する全頭部をカバーし、部分かつらは頭部の必要な部位のみを隠蔽するように装着される。特に部分かつらを固定する方法として、かつらに取り付けたヘアピンでかつら装着者の自毛を挟持する方法、接着剤や両面テープでかつらと自毛とを直接接着させる方法が知られている。これらの装着方法はかつらの着脱が比較的容易ではあるが、一般に固着力が弱く、激しい動きや発汗などで固着力が低下し得るので、長期間装着し続けることには馴染まない。そこで、かつら装着者の頭部の脱毛部周辺に生えている頭髪を一定間隔で撚って編むことで頭髪による土台を形成し、この土台に縫い糸で結着しながらかつらベースに対して縫着する方法や、自毛をかつらベースの周縁に設けたスリットに挿通して結着する方法により、一定期間かつらを装着し続け、所謂つけっ放し状態にすることが可能になっている。これらの固着方法によるとかつらと頭部との固着力がかなり大きく、激しい運動を行ってもかつらがずれたり外れたりする虞が少ないことから、かつら装着者に不安感を与えない。【０００４】
しかしながら、これらのかつら装着方法では装着者によるかつらの着脱が困難であるため、かつらを装着した状態のままで洗髪をすることを余儀なくされていた。従って、かつら装着領域内の頭皮、自毛を直接綺麗に洗うことができず、さらに自毛とかつらの固定部分には隙間がないので、頭皮や毛髪の汚れや皮脂、シャンプー液がその固定部分に残存し、かつら装着者に不快感を与えると共に、頭皮に痒みが発生する場合があった。また、かつら装着者は、かつら装着領域内の頭皮、自毛を十分に洗浄することができず洗髪した実感を抱くことができず、爽快感も得られなかった。【０００５】
このような状況の下、特許文献１には、髪型に制約を設けず自毛を洗うことができる開閉式かつらが開示されている。この開閉式かつらは人工毛を取り付けていないループ状の固定部とこの固定部の両端に連結された開閉部とからなり、この開閉部が頭部への装着時に前頭部に当接する前覆部と頭部の略全体を覆う蓋部とで形成されている。
【特許文献１】特開平１１−９３０１１号公報
【発明の開示】
【発明が解決しようとする課題】
【０００６】
特許文献１に開示されたかつらは複数組の接続部材を備え、一方の接続部材が固定部に配設され、他方の接続部材が固定部に対応する蓋部の周囲部に配置されている。それゆえ、かつら装着者は、蓋部の周囲部と固定部とに設けた接続部材の接続を解除することで蓋部のうち後頭部側を前側に開くことができ、自分の頭皮を後頭部側から手入れすることはできる。しかしながら、特許文献１に開示されたかつらでは、開閉部の前頭部側はかつら装着者の頭皮に当接されたままである。よって、かつら装着者は、自分で前頭部を常に清潔に保つことはできず、理美容技術者などの専門家に頼らざるを得なかった。【０００７】
本発明は上記課題に鑑み、理美容技術者に頼ることなくかつら装着者自らが容易にかつらの一部を一時的に頭皮から外し、頭皮やそこから育成している自毛の洗浄や手入れを行うことができる、かつらとその製造方法を提供することを目的としている。
【課題を解決するための手段】
【０００８】
上記目的を達成するために、本発明は、かつらベースに毛髪を取り付けてなるかつらにおいて、かつらベースが第１のベースと第２のベースとを含み、第１のベースが、フロント部、左サイド部、右サイド部、バック部及びトップ部を備えていてかつら装着領域を覆うようかつら装着者の頭部形状に類似する凸湾曲形状に成形されてなり、第２のベースが第１のベースの裏面でその外縁に沿ってバック部から左右のサイド部方向に縁状に延設されてなり、第２のベース部の一部が第１のベースのバック縁部裏面に固定されてなることを特徴とする。特に、第１のベースにおけるバック縁部裏面に第２のベースのバック部が固定され、第１のベースの左右におけるサイド縁部と第２のベースにおける左右のサイド部とを止着具により脱着し得ることを特徴とする。【０００９】
上記構成において、第１のベースにおける左サイド部、右サイド部及びバック部の外周縁は、かつら装着者のかつら装着領域外周縁よりトップ部側に僅かに、例えば２〜４ｍｍ程度内側に引っ込んでいることが好ましい。換言すれば、第２のベースの外縁部を第１のベースの左右のサイド部裏側から僅かに、例えば２〜４ｍｍ程度張り出して編み込み部を形成すれば、かつら装着者の頭髪を編み込み部に係止することで第２のベースをかつら装着者の頭部に固定することができる。
第２のベースは線状又は帯状に形成され、第１のベースにおけるバック縁部から左右両サイドの縁部に沿って前縁近傍まで、例えば切り返し部まで延設されてなることが好ましい。第１のベースにおける左右のサイド縁部は、好ましくは止着具を用いて第２のベースにおける左右のサイド部に対して脱着可能に固定される。【００１０】
第２の線状又は帯状のベースが細幅である場合は第２のベースにおける左右のサイド部にそれぞれその内縁から内側に台座部を張り出して形成し、各台座部に第１のベースにおける左右のサイド縁部を脱着可能なように、それぞれ止着具が固定すればよい。【００１１】
本発明のかつらの製造方法は、フロント部、左サイド部、右サイド部、バック部及びトップ部を備え、かつら装着領域を覆うようかつら装着者の頭部形状に類似する凸湾曲形状の第１のベースを形成するステップと、第１のベースの裏側でその外縁に沿ってバック部から左右のサイド部方向に延設される縁状の第２のベースを形成するステップと、第１のベースの裏側でバック縁部及び左右のサイド縁部に第２のベースを対向するように配置して第１のベースのバック縁部と第２のベースとを固定するステップと、を含む。好ましくは、第１のベースにおける左右のサイド縁部が左右のサイド縁部裏面に対向する第２のベースにおける左右のサイド部に対して脱着可能なように、例えば面ファスナーのような止着具を設けるステップを含む。
【発明の効果】
【００１２】
本発明のかつらによれば、かつら装着者が自ら、容易にかつらベースの一部を前頭部側から開き、かつらベースのフロント部を含めてかつらベースの一部を後方へ捲り上げ、かつらベースで被覆されていた頭皮やその頭皮から育成している自毛の手入れや洗浄を行うことができる。しかも、かつら装着者自身で、手入れ前と同様の装着状態に復元することができる。【００１３】
本発明のかつらの製造方法によれば、かつらベースの一部を前頭部側から開いて洗髪、その他の手入れを行って、手入れ前と同様のヘアスタイルを形成することが可能な、かつらを製造することができる。
【図面の簡単な説明】
【００１４】
【図１】本発明の実施形態に係るかつらを模式的に示す左側面図である。
【図２】図１に示すかつらベースの一部をなす第１のベースを模式的に示す平面図である。
【図３】図１に示すかつらベースの一部をなす第２のベースを模式的に示す平面図である。
【図４】図２に示す第１のベースの作製工程を模式的に示す図である。
【図５】図３に示す第２のベースの作製工程を模式的に示す図である。
【図６】第１のベースと第２のベースとの固定の仕方を模式的に示す各背面図である。
【図７】図１に示すかつらを装着した状態を模式的に示す図である。
【図８】本発明のかつらの変形例を模式的に示す左側面図である。
【図９】本発明のかつらの変形例を模式的に示す左側面図である。
【符号の説明】
【００１５】
１：自毛
２：雄型
２ａ：ステープル
３：第１のベース作製用周縁ライン
３ａ：切り返し点
３ｂ：外周縁仮想線
４，４ａ，４ｂ，８，８ａ，８ｂ：ネット部材
５：帯状ネット部材
５ａ：折り返し端部
６ａ，６ｂ，８ｄ：縫糸
７：第２のベース作製用周縁線
７ａ：外周縁線
８ｃ：外周縁部
８ｅ：内周縁部
９：レーステープ
１０，２０，３０：かつら
１１：かつらベース
１２：第１のベース
１２ａ：フロント部
１２ｂ，１２ｃ，１３ｂ，１３ｃ，２３ｂ，２３ｃ，３３ｂ，３３ｃ：サイド部
１２ｄ，１３ａ，２３ａ，３３ａ：バック部
１２ｅ：トップ部
１２ｆ，１２ｇ：切り返し部
１２Ａ：フロント縁部
１２Ｂ，１２Ｃ，１３Ｂ，１３Ｃ：サイド縁部
１２Ｄ：バック縁部
１３，２３，３３：第２のベース
１４：毛髪
１５：補強部
１６：露見防止用ネット部
１６ａ，１６ｂ：面ファスナー（止着具）
１７：編み込み部
１８，３３ｄ：台座部
１９：縫製領域
【発明を実施するための最良の形態】
【００１６】
以下、図面を参照して本発明を実施するための最良の形態を説明する。
図１は実施形態に係るかつら１０を模式的に示す左側面図、図２は図１に示すかつらベース１１の一部をなす第１のベース１２を模式的に示す平面図、図３は図１に示すかつらベース１１の一部をなす第２のベース１３を模式的に示す平面図である。図中の矢印は、かつら装着者の前頭部方向に対応している。本発明のかつら１０は、かつらベース１１に多数の毛髪１４を取り付けて構成される。図１では毛髪１４は一部しか示していない。【００１７】
かつらベース１１は、図２に示す第１のベース１２と図３に示す第２のベース１３とで構成され、部分かつら用として成形されている。第１のベース１２は図２に示すように、使用者の頭部のかつら装着領域を覆うよう、フロント部１２ａ、左右のサイド部１２ｂ，１２ｃ、バック部１２ｄ及びトップ部１２ｅを備え、第１のベース１２はかつら装着者の頭部形状に類似する形状に成形されてなる。縁状の第２のベース１３は、図３に示すように、第１のベース１２の裏側で第１のベース１２の外縁に沿ってバック部１２ｄから左右のサイド部１２ｂ，１２ｃの方向に頭部形状に合わせて延設され、全体が略馬蹄形状をなしている。第２のベース１３は、第１のベース１２におけるバック部１２ｄの縁部、即ち、バック縁部１２Ｄの裏面に部分的に固定されている。ここで、かつら装着領域とは、かつら装着者の頭髪の状態に応じて、毛が抜けている脱毛部や、頭皮から育成している自毛の本数が全体と比較して薄くなっている薄毛部分を意味する。【００１８】
更に、図１乃至図３に示すかつらベース１１について具体的に説明する。
第１のベース１２は、かつら装着者のかつら装着領域を覆う形状及び寸法になるべく類似するような形状に、好ましくは装着者の頭部を型取りして装着者の前頭部、頭頂部及び左右のサイド部の各形状にできるだけ沿った類似形状になるように膨出して凸状に形成されている。この第１のベース１２は、前髪が植設されて頭部の前額部を覆うフロント部１２ａと、第１のベース１２の中心領域を画成して頭部のトップに対応するトップ部１２ｅと、トップ部１２ｅの左端に隣接する左サイド部１２ｂと、トップ部１２ｅの右端に隣接する右サイド部１２ｃと、トップ部１２ｅの後端に隣接しつつフロント部１２ａ、左サイド部１２ｂ及び右サイド部１２ｃとで周縁部の一部を形成するバック部１２ｄとに仮想的に区分され、これらを結んだ外縁がかつらの外形を構成する。図２では、この仮想的な区分の境界を一点鎖線で示している。第１のベース１２の外周縁部でフロント部１２ａと左サイド部１２ｂ及び右サイド部１２ｃとそれぞれ隣接する部分は切り返し部１２ｆ，１２ｇであり、幾分窪んでいる。この左右の切り返し部１２ｆ，１２ｇは、天頂部１２ｅの中心から斜め前方に約４５度の方向に位置し、かつら装着者の頭部にあるべきそり込み箇所に相当する。左右の切り込み部１２ｆ，１２ｇを結ぶ湾曲状の線がフロント部１２ａのヘアラインを構成する。【００１９】
ここで、第１のベース１２は、図２に示すように、フロント部１２ａ、左サイド部１２ｂ、右サイド部１２ｃ及びバック部１２ｄの全周縁部にその表側又は裏側に補強部１５を備え、また外方向に露見防止用ネット部１６を備えて、第１のベース１２として一体化されていてもよい。フロント部１２ａ、左右のサイド部１２ｂ，１２ｃ、バック部１２ｄの縁部の幅は、補強部１５の幅と略同一である。なお、これらの縁部を、フロント縁部１２Ａ、左右のサイド縁部１２Ｂ，１２Ｃ、バック縁部１２Ｄと呼ぶことにする。【００２０】
第２のベース１３は、第１のベース１２裏側の外縁に沿ってバック縁部１２Ｄから第１のベース１２の左右のサイド縁部１２Ｂ，１２Ｃに沿うよう縁状に延設され、バック部１３ａと左右のサイド部１３ｂ，１３ｃとでＵ字状、特に馬蹄形状に形成されてなる。ここで、左右のサイド部１３ｂ，１３ｃは、図示するように、第１のベース１２における左右のサイド縁部１２Ｂ，１２Ｃとフロント縁部１２Ａとの境界まで、即ち、第１のベース１１におけるバック縁部１２Ｄから左右のサイド縁部１２Ｂ，１２Ｃの前縁近傍まで延設される。左右のサイド部１３ｂ及び１３ｃの延設の長さが短いと、第２のベース１３をかつら装着者の頭部に固定してもかつらベース１１の左右のサイド縁が部分的にかつら装着者の頭部に固定されず、かつらが浮き上がってしまう可能性があるので、好ましくない。【００２１】
第２のベース１３は、そのバック部１３ａ、左右のサイド部１３ｂ，１３ｃが一定の幅を有するよう帯状に形成されている。この幅は、第１のベース１２に設けた補強部１５と略同程度であることが好ましく、例えば１ｃｍ〜３ｃｍ程度の幅である。図１乃至図３に示す形態では、後述するように、第１のベース１２の左右のサイド縁部１２Ｂ，１２Ｃの裏面と第２のベース１３の左右のサイド縁部１３Ｂ，１３Ｃの表面とに対向して、面ファスナー１６ａ，１６ｂなどの止着具がそれぞれ固定される。ここで、図示を省略するが、第２のベース１３の周縁部には、第２のベースを構成するネット部材と異なる別の細帯状のネット部材を取り付けて縁取り部が形成されることで、第２のベース１３の解れを防止することができる。この縁取り部は、後述する編み込み部１７の一部としてもよい。編み込み部１７は、かつら装着者の頭髪を係止して、第２のベース１３をかつら装着者の頭部に固定可能にする。【００２２】
さらに、第１のベース１２における左右のサイド縁部１２Ｂ，１２Ｃが第２のベース１３における左右のサイド部１３ｂ，１３ｃに対して脱着可能なように、それぞれ止着具１６ａ，１６ｂが固定されている。即ち、第１のベース１２の左右のサイド縁部１２Ｂ，１２Ｃと第２のベース１３の左右のサイド部１３ｂ，１３ｃとには、それぞれ対向側に、一対の止着具１６ａ，１６ｂが固定されてなる。ここで、止着具として、例えば凹型凸型で一対をなすボタンや面ファスナー１６ａ，１６ｂや、繰り返し粘着させることができる粘着テープなどを用いることができる。面ファスナー１６ａ，１６ｂを用いる場合には、第１のベース１２側には凸型の面ファスナー１６ａを設け、第２のベース１３側には凹型の面ファスナー１６ｂを設けてもよいし、その逆でもよい。面ファスナー１６ａ，１６ｂは、第１のベース１２と第２のベース１３とが対向し得る面で、左右のサイド縁部１２Ｂ，１２Ｃ及び左右のサイド部１３ｂ，１３ｃの一部又は全面にそれぞれ固定される。面ファスナー１６ｂは、図示するように、その前端が左右のサイド縁部１２Ｂ，１２Ｃの各前端から所定距離離れて、左右のサイド縁部１２Ｂ，１２Ｃの略中心部位のみに固定されるようにしてもよい。また、面ファスナー１６ｂの前後端が左右のサイド縁部１２Ｂ，１２Ｃの前後端近傍まで接近していてもよい。面ファスナー１６ａは、第１のベース１２の裏側に、第２のベース１３の表側に固定した面ファスナー１６ｂと対向しうるように固定される。止着具が粘着テープの場合にも同様である。【００２３】
図３に示す第２のベース１３は、バック部１３ａ及び左右のサイド部１３ｂ，１３ｃの各縁部、即ちバック縁部１３Ａ及び左右のサイド縁部１３Ｂ，１３Ｃに編み込み部１７を有している。この編み込み部１７は、図１に示すように、第２のベース１３の外縁が第１のベース１２の裏側にてその外縁に沿って所定長張り出している。よって、図１に示すかつら１０では、第１のベース１２のみならず、第２のベース１３のうち編み込み部１７にも、毛髪１４が植設されている。編み込み部１７は、かつら装着者の頭部にかつらベース１１を載置し、かつら装着者の頭髪に第２のベース１３を固定するためのものである。第２のベース１３の外縁は、図１に示すように第１のベース１２の外縁から張り出さずに、例えば第１のベース１２の外縁と略同一ライン又はそれより内側でもよいが、これらの場合には、第２のベースに毛髪は植設されていない。【００２４】
ここで、第１のベース１２の左右のサイド部１２ｂ，１２ｃ及びバック部１２ｄの外周縁は、かつら１０全体のかつら装着領域における外周縁より所定長、好ましくは２ｍｍ〜４ｍｍ程度内側に入り込んだ位置となっており、内側から第２のベース１３が部分的に張り出していることが好ましい。これは、かつら装着者におけるかつら装着領域の外周縁には自毛が育成しており、この自毛を編み込んで、第２のベース１３の編み込み部１７でかつら１０を固定するためである。【００２５】
図１に示すかつら１０の製造方法について説明する。
先ず、第１のベース１２を作製する。図４は、第１のベース１２の作製工程を模式的に示す図である。図４（Ａ）は第１のベース１２を作製する際に用いる雄型２の側面図、図４（Ｂ）は図４（Ａ）の雄型２の平面図であるが、雄型２の周縁線は省略してある。雄型２は、かつら装着者の頭部形状となるよう石膏で成型したものである。この雄型２には、図４（Ａ）及び（Ｂ）に示されているように、第１のベース１２を装着すべき領域の外周縁線となる第１のベース作製用周縁ライン３が記入されている。この第１のベース作製用周縁ライン３は、第１のベース１２におけるフロント部１２ａ、左右のサイド部１２ｂ、１２ｃ及びバック部１２ｄの周縁線に対応するので、図１に示すかつら１０全体の周縁線と一致していない。即ち、図１や図２に示す切り返し部１２ｆ，１２ｇに対応する切り返し点３ａよりフロント部側の周縁ラインは、第１のベース１２におけるフロント部１２ａの周縁線に一致するのに対し、切り返し点３ａよりバック部側の周縁ラインは、かつら１０全体の周縁線より所定距離内側に記入されている。図４（Ｂ）に点線で示した外周縁仮想線３ｂは、切り返し点３ａよりバック側でのかつら全体１０の周縁線に相当する。ここで、第１のベース作製用周縁ライン３は、外周縁仮想線３ｂより例えば３ｍｍ内側に記入されている。【００２６】
このように第１のベース作製用周縁ライン３が記入された雄型２に、第１のベース１２の素材としてネット部材４を二枚重ね、図４（Ｃ）の側面図のように、上下二枚のネット部材４を雄型２全体にステープル２ａで固定する。ここで使用するネット部材４は所定の糸径及びメッシュ数でなり、例えば糸径１００μｍ、メッシュ数６０本／インチのポリエステル製である。その後、例えば２剤混合型の熱硬化性ウレタン樹脂にメチルエチルケトンなどの有機溶剤で希釈した溶液をネット部材４に塗布し、１００℃、８時間の乾燥を行うことで、ネット部材４に頭部形状の型を成形する。【００２７】
その後雄型２を冷却後に、２枚のネット部材４のうち上側のネット部材４ｂを雄型２から外し、雄型２に固定されている下側のネット部材４ａ上に図４（Ｄ）の平面図のように、露見防止用ネット部１６の素材として帯状ネット部材５を長手方向に沿って半折し、折り返し端部５ａを第１のベース作製用周縁ライン３の外側に向け、折り返し端部５ａの全周を第１のベース作製用周縁ライン３に沿って縫糸により取り付ける。なお、図４（Ｄ）では雄型２の外周線は省略してある。ここで、使用する帯状ネット部材５として、ネット部材４よりも糸径が小さくメッシュ数が大きい、例えば糸径５０μｍ、メッシュ数７０本／インチで、幅１ｃｍのネット部材を用いる。【００２８】
その後、上側のネット部材４ｂを下側のネット部材４ａと重なるよう位置合わせしつつ雄型２に上側のネット部材４ｂを固定する。その状態で上側のネット部材４ｂと下側のネット部材４ａとを待ち針で仮止めした後に、仮止めしたネット部材４を雄型２から取り外す。そして、上下のネット部材４ａ，４ｂの外周縁付近を全周に亘って縫糸６ａで縫着すると共に、外周縁より内側に所定距離、例えば２ｃｍ入り込んだ付近を外周縁線に沿って全周に亘って縫糸６ｂで縫着することで、上側のネット部材４ｂと下側のネット部材４ａとを一体化する。下側のネット部材４ａのうち図４（Ｅ）の平面図に示す縫糸６ｂの内側領域部分を裁断してくり抜き、上側のネット部材４ｂは裁断しないで残す。
以上の工程を経ることにより、第１のベース１２は、外周縁から所定距離内側までは上下のネット部材４ａ，４ｂの２枚重ねでなる補強部１５を備え、頭頂部を含むその他の領域は上側のネット部材４ｂのみでなり、補強部１５の外周縁には露見防止用ネット１６を備えるよう、作製することができる。なお、以上の説明では、同一の糸径、メッシュ数のネット部材を２枚用いて、第１のベース１２を作製しているが、異なる糸径及び／又はメッシュ数のネット部材を用いて第１のベースを作製してもよい。【００２９】
続いて、第２のベース１３を作製する。
図５は、第２のベース１３を作製する工程を模式的に示す図である。図５（Ａ）は第２のベース１３を作製する際に用いる雄型２の側面図である。第２のベース１３を作製するときも、第１のベース１２を作製した際に用いた雄型２と同様、かつら装着者の頭部形状に石膏で成形した雄型２を用いる。ただし、図５（Ａ）に側面図として示されているように、第２のベース１３におけるバック部１３ａから切り返し点まで延設された左右のサイド部１３ｂ，１３ｃの外周縁に対応する外周縁線７ａが記入されている。この外周縁線７ａは図４（Ｂ）に点線で示す外周縁仮想線３ｂに相当する。なお、第２のベース１３の輪郭となる第２のベース作製用周縁線７が記入されていてもよい。【００３０】
このように第２のベース作製用周縁ライン７又は外周縁線７ａが記入された雄型２に、第２のベース１３の素材としてのネット部材８を２枚重ね、図５（Ｂ）の側面図のように、上下二枚のネット部材８を雄型２全体にてステープル２ａで固定する。ここで、使用するネット部材８は所定の糸径及びメッシュ数、例えば糸径１３０μｍ、メッシュ数８５本／インチのポリエステル製である。その後、第１のベース１２を作製した場合と同様、例えば２剤混合型の熱硬化性ウレタン樹脂にメチルエチルケトンなどの有機溶剤で希釈した溶液を塗布して１００℃、８時間の乾燥を行って、ネット部材８に頭部形状を成形する。【００３１】
雄型２を冷却し、上側のネット部材８ａと下側のネット部材８ｂを待ち針で仮止めした後、相互に仮止めしたネット部材８を雄型２から取り外す。そして、先ず上下のネット部材８ａ，８ｂの外周縁部８ｃを縫糸８ｄで縫着して上側のネット部材８ａと下側のネット部材８ｂとを一体化し、その後第２のベース１３の内周縁部８ｅを形成するよう、外周縁部８ｃに略沿って上側及び下側のネット部材８ａ，８ｂを裁断する。上側及び下側のネット部材８ａ，８ｂを裁断した状態を示したのが、図５（Ｃ）の平面図である。
続いて、図５（Ｄ）に示す平面図のように、所定幅の帯状のレーステープ９を長手方向に沿って半分に折り、一体となったネット部材８の全周縁部を包み込んで、レーステープ９の端部とネット部材８とを縫着する。
以上の工程を経ることで、Ｕ字状のネット部材８の外周縁にレーステープ９でなる縁取り部を備えた、第２のベース１３を作製することができる。【００３２】
ここで、第２のベース１３の素材としては、第１のベース１２の素材として使用するネット部材４と異なる糸径及びメッシュ数の異なるネット部材８を使用している。第２のベース１３の素材であるネット部材は、第１のベースの素材であるネット部材４と比べ、糸径及びメッシュ数が大きい方が好ましい。これは、第２のベース１３は直接頭部自毛に編み込まれ第１のベース１２を固定する土台として機能するため、張りがあって形状が壊れ難い方がよいからである。【００３３】
第１のベース１２の左右のサイド縁部１２Ｂ,１２Ｃと第２のベース１３の左右のサイド部１３ｂ,１３ｃとに、左右それぞれ一対の止着具としての面ファスナー１６ａ，１６ｂを対向しうるよう固定する。このとき、第１のベース１２側には凸型の面ファスナー１６ａを固定し、第２のベース１３側には凹型の面ファスナー１６ｂを固定する。面ファスナー１６ａ，１６ｂの固定には接着剤を用いて接着させてもよいが、糸部材を用いて縫着などで固定してもよい。【００３４】
その後、第１のベース１２のバック縁部１２Ｄの裏側に第２のベース１３のバック部１３ａを配置し、バック縁部１２Ｄとバック部１３ａとを所定領域だけ縫製や接着などにより固定する。図６（Ａ）〜（Ｃ）は、第１のベース１２と第２のベース１３との固定の仕方を模式的に示す背面図である。縫製により固定する際には、図６（Ａ）に示すように縫製領域１９を画成する左右辺がかつらベース１１の周縁部に直交するよう上下に延びて縫製領域１９が矩形となるより、図６（Ｂ）に示すように縫製領域１９が左右に延びた楕円形や、図６（Ｃ）に示すように縫製領域１９を画成する左右辺が上方に延びるに従い接近するよう縫製領域１９が台形の方が好ましい。これは、第１のベース１２を前頭部側から捲り上げ易くするためである。また、縫着の際、第１のベース１２の左右のサイド縁部１２Ｂ,１２Ｃ裏面と第２のベース１３の左右のサイド部１３ｂ，１３ｃに設けた止着具１６ａ，１６ｂ同士を係合させると作業が効率良くできる。ここで、第１のベース１２に対して第２のベース１３のバック部１３ａが固定される領域、即ち、図２で斜線を施した領域は、例えばトップ部１２ｅの頂点を中心として約４５度〜６０度の範囲で５〜６ｃｍの長さが好ましい。この好ましい範囲よりも縫製領域が狭いと、第１のベース１２を第２のベース１３から部分的に取り外しやすくなるが、再度第２のベース１３に対する第１のベース１２の位置合わせが容易ではなくなり、手間がかかるので好ましくない。逆に、縫製領域が好ましい範囲より大きいと、第１のベース１２の捲り上げによりかつら装着者が手入れできる頭皮の範囲が狭くなり好ましくない。【００３５】
このようにして作製されたかつらベース１１の第１のベース１２に、所定部位毎に所定本数の毛髪１４を植設することで、かつら１０が完成する第２のベース１３の外縁が第１のベース１２の外縁より張り出している場合には、この張り出し領域、即ち、編み込み部１７の表側にも毛髪１４を植設することで、第２のベース１３の露見を防止することができる。なお、以上の説明では、第１のベース１１及び第２のベース１２が何れもネット部材で成っている場合であるが、各ベースが人工皮膚でも、またそれらの組み合わせでなっていてもよい。【００３６】
次に、このようにして製造されたかつら１０の使用方法について説明する。
図７は、図１に示すかつら１０を装着した状態を模式的に示す図である。
先ず、使用者の自毛１のうち、かつらベース１１を装着する領域の近傍の自毛１を、所定の間隔毎に束ねて自毛束とする。この自毛束を用いてかつら１０の第２のベース１３をかつら装着者の頭部に固定する。その固定方法として次のような方法がある。第１の方法として、適宜複数の自毛を束にして第２のベース１３の編み込み部１７に結着する。第２の方法として、先ず、間隔を開けて形成した自毛束の隣接する束同士を糸部材で結着し、かつら装着者の頭部でかつら装着領域の外周に沿って例えばＵ字状に、アンカーを所定の間隔をおいて作成する。このアンカーと第２のベース１３の編み込み部１７とを糸部材により結着することで、かつら装着者の自毛１に第２のベース１３を固定する。第３の方法として、第２のベース１３に図示していない挿通孔を左サイド部１３ｂ、バック部１３ａ及び右サイド部１３ｃに沿って複数形成し、各挿通孔にそれぞれ自毛束を挿通してその挿通した自毛束を結着する。このように、自毛束を用いてかつら装着者の頭部に第２のベース１３を固定する。上記いずれの方法を用いてかつらを使用者の頭部に固定してもよいが、第１のベース１１には自毛を結着しないことに注意すべきである。【００３７】
その後、第１のベース１２のフロント縁部１２Ａの裏面の全体又はスポット状に医療用接着剤などの接着剤を塗布するか又は両面接着テープを貼付けし、第１のベース１２のフロント縁部１２Ａ及び左右のサイド縁部１２Ｂ，１２Ｃを毛髪が植設されている表側から押圧することで、第１のベース１２のフロント縁部１２Ａに塗布した接着剤又は貼り付けた両面接着テープにより頭皮にフロント縁部１２Ａが接着すると共に、一対の止着具１６ａ，１６ｂ同士がそれぞれ係合する。このようにしてかつら１０を頭部に装着した後、かつら装着者の頭部から育成した毛髪（自毛）１とかつらベース１１に植設した毛髪１４とを、整髪用ブラシなどで軽くブラッシングすることにより混ぜ合わせながら、所望の髪型を形成することができる。【００３８】
このようにしてかつら装着者の頭部にかつら１０を装着すると、かつら１０全体を取り外すことなくかつら装着者の頭皮を清潔に保つことができる点について下記に述べる。
かつら装着者は、自宅などにおいて、かつらベース１１のうち、第１のベース１２と第２のベース１３の左右それぞれに設けた一対の止着具１６ａ，１６ｂの係合を外す。その際、例えば第１のベース１２のフロント縁部１２Ａに接着剤を塗布した場合には、所定の溶剤で接着剤を溶かし第１のベース１２のフロント縁部１２Ａを頭皮から隔離できるようにする。止着具１６ａ,１６ｂとして面ファスナーを用いている場合には、第１のベース１２と頭皮との間に取り外し用ピンを挿入しつつ第１のベース１２の切り返し部１２ｆ，１２ｇを指で掴んで捲り上げることなどで、第１のベース１２と第２のベース１３との止着具１６ａ,１６ｂの係合を簡単に外すことができる。よって、かつら装着者は鏡に対面することを要しなくとも、簡単に、止着具の係合を外すことができる。【００３９】
このようにして第１のベース１２の左右のサイド縁部１２Ｂ,１２Ｃに設けた止着具１６ａと、第２のベース１３の左右のサイド部１３ｂ,１３ｃに設けた止着具１６ｂとの係合を外すことで、かつら装着者の頭部に被覆している第１のベース１２を捲り上げ、第１のベース１２で覆われていた頭皮や自毛の手入れを行うことができる。この際、第１のベース１２は、かつら装着者の後方側に捲り上げられるので、第１のベース１２に植設した毛髪１４と頭部の自毛１とを一緒に特に分け隔てなく洗髪することもできる。かつら装着者の頭部のトップから前額部側には手入れを邪魔するかつらの部材がない。よって、かつら装着者は自分自身で頭部のフロントやトップなどの頭皮の手入れを入念に行うことができる。【００４０】
次に、このように手入れを行った後、かつら装着者は鏡に向かい、先ず第１のベース１２のフロント縁部１２Ａの裏面又は頭皮のフロント所定部位に接着剤を塗布し、次に頭部に固定されている第２のベース１３の左右のサイド部１３ｂ,１３ｃに対しそれぞれ第１のベース１２の左右のサイド縁部１２Ｂ，１２Ｃを宛がい、第１のベース１２に固定されている止着具１６ａと第２のベース１３に固定されている止着具１６ｂとを対向させる。続いて、第１のベース１２のフロント縁部１２Ａ及び左右のサイド縁部１２Ｂ，１２Ｃを表側から押圧することで、第１のベース１２のフロント縁部１２Ａが接着剤により頭皮に接着すると共に、一対の止着具１６ａ，１６ｂ同士がそれぞれ係合する。そして、かつら装着者の頭部の毛髪１とかつらベース１１に植設した毛髪１４とを、整髪用ブラシなどで軽くブラッシングすることにより、混ぜ合わせながら、所望の髪型を形成することができる。【００４１】
このように、図１に示すようなかつら１０を頭部に装着しても、第１のベース１２の左右のサイド部１２ｂ，１２ｃを第２のベース１３から脱離させ、第１のベース１２を後方に捲り上げることで、かつら装着領域内の頭皮などを直接触れて手入れを行うことができる。よって、かつら装着者はあたかも連続的にかつらを装着することができる。【００４２】
次に変形例を説明する。
第１の変形例は、図１乃至図３に示すかつらベースにおいて、第１のベース１２及び第２のベース１３に面ファスナー１６ａ，１６ｂなどの止着具を固着しない点で異なる。止着具として両面接着テープなどを用い、第１のベース１２の左右のサイド縁部１２Ｂ，１２Ｃと第２のベース１３の左右のサイド部１３ｂ，１３ｃとを脱着する度に両面接着テープの接着力が弱くなるので、両面テープを剥がして新たな両面テープを接着させる必要がある。【００４３】
第２の変形例は、図１乃至図３に示すかつらベースにおいて、第１のベース１２のみに止着具としてのストッパーを固定する点で異なる。第１のベース１２の左右のサイド縁部１２Ｂ，１２Ｃの裏側にストッパーの台座部を有しており、この台座部にストッパーの基部が糸部材などにより結着されて固定されている。このようなかつらをかつら装着者の頭部に装着する場合には、前述のように第２のベース１３をかつら装着者の頭部に固定した後、第１のベース１２のフロント縁部１２Ａ又は頭皮の所定領域に接着剤を塗布し、第１のベース１２を頭皮に被せ、左右のストッパーの櫛歯をかつら装着者の頭髪に挿し込むようにして、ストッパーにより、第１のベース１２の左右のサイド縁部１２Ｂ，１２Ｃを第２のベース１３の左右のサイド部１３ｂ，１３ｃを介在させて、頭部に固定する。【００４４】
第３の変形例は、第２のベースが、図１乃至図３に示すように帯状ではなく、第１のベース１２の裏側でその外縁に沿ってバック部１２ｅから左右のサイド部１２ｂ，１２ｃの方向に、好ましくは左右のサイド縁部前縁近傍まで延設されるよう、線状となっている点で異なる。図８は、本発明のかつらの第３の変形例を模式的に示す左側面図である。同一又は対応する部材には同一の符号を付している。図８に示すように、第２のベース２３が、第１のベース１２におけるバック縁部１２Ｄに所定長縫製などで固定されるバック部２３ａと、このバック部２３ａから左右のサイド方向に延設される左右のサイド部２３ｂ，２３ｃとで、数ミリ幅を有する線状となっている。第２のベース２３が第１のベース１２と縫製などで固定される範囲は、図１乃至図３に示すかつら１０の場合と同様であり、図に斜線を付した領域である。この第２のベース２３は、第１のベース１２の裏側でその外縁よりやや内側に配置される。この場合、第１のベース１２の左右のサイド縁部１２Ｂ，１２Ｃには、第２の変形例のようにストッパーの台座部１８を設けることが好ましい。【００４５】
この第３の変形例に係るかつら２０を頭部に固定する場合には、先ず、適宜糸部材を用いて頭部の自毛を第２のベース２３に編み込み、第２のベース２３を頭部に固定する。そして、第２の変形例の場合と同様、第１のベース１２のフロント縁部１２Ａ又は頭皮の所定領域に接着剤を塗布し、第１のベース１２を頭皮に被せて、左右のストッパーの櫛歯をかつら装着者の頭髪に挿し込むようにして、ストッパーにより、第１のベース１２の左右のサイド縁部１２Ｂ，１２Ｃを第２のベース２３の左右のサイド部２３ｂ，２３ｃを介在させて、頭部に固定する。【００４６】
第４の変形例は、第３の変形例においてストッパーなどを用いないで、面ファスナーや両面接着テープを用いることができるように変形したものである。図９は、本発明のかつらの第４の変形例を模式的に示す左側面図である。同一又は対応する部材には同一の符号を付している。図９に示すように、第２のベース３３が、第１のベース１２におけるバック縁部１２Ｄに所定長縫製などで固定されるバック部３３ａと、このバック部３３ａから左右のサイド方向に延設される左右のサイド部３３ｂ，３３ｃとで、数ミリ幅を有する線状になる。この左右のサイド部３３ｂ，３３ｃには、台座部３３ｄが第１のベース１２の縁部に対向するように設けられている。この台座部３３ｄには、図示しない止着具としての面ファスナーが固定される。この場合、第１のベース１２の左右のサイド縁部１２Ｂ，１２Ｃにも図示しない面ファスナーが設けられる。【００４７】
この第４の変形例に係るかつら３０をかつら装着者の頭部に固定する場合には、先ず、適宜糸部材を用いて頭部の自毛を第２のベース３３に編み込み、第２のベース３３を頭部に固定する。そして、第１のベース１２のフロント縁部１２Ａの裏面の全体又はスポット状に接着剤を塗布し、第１のベース１２を頭皮に被せて第１のベース１２のフロント縁部１２Ａ及び左右のサイド縁部１２Ｂ，１２Ｃを表側から押圧することで、第１のベース１２のフロント縁部１２Ａが接着剤により頭皮に接着すると共に、一対の止着具同士がそれぞれ係合する。よって、かつら３０を頭部に装着することができる。【００４８】
以上の各変形例においても、第１のベースのバック縁部と第２のベースのバック部のみが固定されているだけであり、第１のベースの左右のサイド縁部と第２のベースの左右のサイド部とが止着具により止着され、または第１のベースの左右のサイド縁部が第２のベースの左右のサイド縁部を挟んで頭皮に止着具により止着されるので、止着具による止着を解除することができる。【００４９】
よって、本発明のように後頭部側を固定して前頭部側を開閉する方式は、特許文献１のように前頭部側を固定して後頭部側を開閉する方式とは異なり、次のような使用上の利点がある。【００５０】
第１に、後頭部側を開閉する方式では、所謂かつらベースをなす固定部と開閉部とを側頭部から後頭部に亙って配置している止め具同士を外す必要があり、後頭部側に配置した止め具自体及び後頭部は特に見ることができないので、再装着時に止め具同士を係合させて開閉部を固定部の所定位置に確実に固定するのに手間がかかる。それに対し、前頭部側を開閉する方式では、後頭部側には止着具を配置していないので、そのような手間や苦労を必要としない。【００５１】
第２に、後頭部側を開閉する方式では、かつらベースのフロント部側は頭部に固定したままであるので、ヘアラインがフロントからトップに向って後退することとミスマッチしている。つまり、フロント側は脱毛や薄毛となり易いので、かつら装着者にとって頭皮の手入れをする必要性が高いが、それが自由にできない。それに対し、前頭部側を開閉する方式では、フロント側の頭皮を常に手入れすることができる。【００５２】
第３に、後頭部側を開閉する方式では、かつらの脱着によりかつらに植設した毛髪と頭皮、特に後頭部側の自毛とが分離するため、かつらの装着が露見しないようにかつらに植設した毛髪と自毛とを絡ませて馴染ませる必要があり、再度ヘアスタイルを整えるにも手間がかかる。それに対して、前頭部側を開閉する方式では、後頭部や側頭部の自毛とかつらに植設した自毛とを一緒に手入れすることができ、また、再度ヘアスタイルを整える場合にも手間がかからない。
【図１】
2008062737.tif 000003
【図２】
2008062737.tif 000004
【図３】
2008062737.tif 000005
【図４】
2008062737.tif 000006
【図５】
2008062737.tif 000007
【図６】
2008062737.tif 000008
【図７】
2008062737.tif 000009
【図８】
2008062737.tif 000010
【図９】
2008062737.tif 000011
【国際調査報告】
2008062737.tif 000012
2008062737.tif 000013